(57)【要約】【課題】図面から画像を生成する情報処理装置を提供する。【解決手段】識別子を選択する手段と、前記図面上で第１の領域を決定する手段と、前記図面上で第２の領域を決定する手段と、前記第１の領域の座標と前記第２の領域の座標とに対応する第３の領域を前記図面上に決定する手段と、前記第１の領域と前記第２の領域と前記第３の領域とを合成した画像を生成する手段と、前記識別子に前記生成された画像を関連付けると共に、前記生成された画像に、前記第１の領域、前記第２の領域、前記第３の領域の少なくとも１つの座標情報を関連付けて記憶する手段と、を備える情報処理装置を提供する。【選択図】図１
2019128869.tif 000002
【特許請求の範囲】
【請求項１】
図面から画像を生成する情報処理装置において、
識別子を選択する手段と、
前記図面上で第１の領域を決定する手段と、
前記図面上で第２の領域を決定する手段と、
前記第１の領域の座標と前記第２の領域の座標とに対応する第３の領域を前記図面上に決定する手段と、
前記第１の領域と前記第２の領域と前記第３の領域とを合成した画像を生成する手段と、
前記識別子に前記生成された画像を関連付けると共に、前記生成された画像に、前記第１の領域、前記第２の領域、前記第３の領域の少なくとも１つの座標情報を関連付けて記憶する手段と、
を備えることを特徴とする情報処理装置。
【請求項２】
請求項１に記載の情報処理装置において、更に、
前記第１の領域、前記第２の領域、前記第３の領域の少なくともひとつの移動を検知する手段と、
前記検知に基づいて、前記第１の領域、前記第２の領域、前記第３の領域を移動する手段と、
前記第１の領域と前記第２の領域と前記第３の領域とを合成した画像を再生成する手段と、
を備えることを特徴とする情報処理装置。
【請求項３】
請求項１に記載の情報処理装置において、更に、
前記識別子に関連する前記画像および前記座標情報を取得する手段と、
前記第１の領域、前記第２の領域、前記第３の領域の少なくともひとつの移動を検知する手段と、
前記検知に基づいて、前記第１の領域、前記第２の領域、前記第３の領域を移動する手段と、
前記第１の領域と前記第２の領域と前記第３の領域とを合成した画像を再生成する手段と、
新たな識別子を選択する手段と、
前記新たな識別子に前記再生成された画像を関連付けると共に、前記再生成された画像に、前記第１の領域、前記第２の領域、前記第３の領域の少なくとも１つの移動後の座標情報を関連付けて記憶する手段と、
を備えることを特徴とする情報処理装置。
【請求項４】
図面から画像を生成するプログラムにおいて、
識別子を選択する手段と、
前記図面上で第１の領域を決定する手段と、
前記図面上で第２の領域を決定する手段と、
前記第１の領域の座標と前記第２の領域の座標とに対応する第３の領域を前記図面上に決定する手段と、
前記第１の領域と前記第２の領域と前記第３の領域とを合成した画像を生成する手段と、
前記識別子に前記生成された画像を関連付けると共に、前記生成された画像に、前記第１の領域、前記第２の領域、前記第３の領域の少なくとも１つの座標情報を関連付けて記憶する手段と、
を備えることを特徴とするプログラム。
【発明の詳細な説明】
【技術分野】
【０００１】
本発明は、図面から画像を生成する情報処理装置に関するものであり、特に、構造図等の図面から配筋図等の画像を生成するユーザインターフェイスにより、建設業向けの配筋検査を支援する情報処理装置に関するものである。
【背景技術】
【０００２】
従来、配筋検査は、配筋検査担当者が、タブレットＰＣなどの情報処理装置の表示画面に表示された配筋図を参照しながら行ってきた。ただし、その配筋検査図を作成するにあたっては、構造図（設計図）をそのまま使用することはできないため、構造図を基に、事前に必要となる部位を切り出して配筋図を用意しなければならない。具体的には、構造図から必要な各部位を切り出しておき、それらを組み合わせて１枚の図に加工する必要がある。しかしながら、構造図から数多くの配筋図を作成するためには、多大なる作業時間を要することとなるので、作成上の間違いも発生しやすい。よって、多額の費用を払って、このような作業を専門の業者に依頼することが通常であった。
【０００３】
ここで、配筋検査とは、鉄筋コンクリート造建物の工事において、鉄筋が正しく配置されているかどうかを確認する検査のことである。また、配筋とは、鉄筋コンクリート造の建物における鉄筋の配置のことである。また、配筋図とは、柱・梁・壁・スラブ・基礎など、それぞれの鉄筋の配置と、寸法・数量・種別などを示したものである。
【０００４】
配筋図に関する従来技術としては、例えば、特許文献１のような情報描画装置がある。しかしながら、特許文献１は、配筋図を使って容易に配筋検査をするための方法が開示されているだけであり、配筋図を容易に生成するインターフェイスについてまでは考慮されていない。
【先行技術文献】
【特許文献】
【０００５】
【特許文献１】特許第４８８７６５５号
【発明の概要】
【発明が解決しようとする課題】
【０００６】
本発明の目的のひとつは、図面から画像を生成する情報処理装置を提供することである。
本発明の目的の別のひとつは、配筋図を容易に生成するユーザインターフェイスにより、配筋検査を支援する情報処理装置を提供することである。
【課題を解決するための手段】
【０００７】
図面から画像を生成する情報処理装置において、識別子を選択する手段と、前記図面上で第１の領域を決定する手段と、前記図面上で第２の領域を決定する手段と、前記第１の領域の座標と前記第２の領域の座標とに対応する第３の領域を前記図面上に決定する手段と、前記第１の領域と前記第２の領域と前記第３の領域とを合成した画像を生成する手段と、前記識別子に前記生成された画像を関連付けると共に、前記生成された画像に、前記第１の領域、前記第２の領域、前記第３の領域の少なくとも１つの座標情報を関連付けて記憶する手段と、を備える情報処理装置を提供する。
【発明の効果】
【０００８】
本発明の配筋検査を支援する情報処理装置の一態様によれば、配筋図を容易に生成することができるようになる。すなわち、配筋図作成のために、切り出す範囲等を何度も選択して個々の配筋図をひとつひとつ作成するような煩雑な繰り返し操作を長時間かけて行う必要がなくなるため、ユーザ（利用者）が短時間で間違いのない配筋図作成が実現できる。
【０００９】
本発明の別の一態様によれば、以前に作成した配筋図のデータを再利用することができるので、数多くの配筋図を早く正確に生成することができる。
【００１０】
本発明の他の目的、特徴及び利点は添付図面に関する以下の本発明の実施例の記載から明らかになるであろう。
【図面の簡単な説明】
【００１１】
【図１】本発明の一実施例による情報処理装置の機能ブロック図を示す。
【図２Ａ】構造図から所定の各領域を切り出して、当該切り出された各領域から合成された配筋図を生成するためのフローチャートの一例を示す。
【図２Ｂ】構造図から所定の各領域を切り出して、当該切り出された各領域から合成された配筋図を生成するためのフローチャートの別の例を示す。
【図３Ａ】構造図から配筋図を合成する手順のひとつ（画面表示例）を示す。
【図３Ｂ】構造図から配筋図を合成する手順のひとつ（画面表示例）を示す。
【図３Ｃ】構造図から配筋図を合成する手順のひとつ（画面表示例）を示す。
【図３Ｄ】構造図から配筋図を合成する手順のひとつ（画面表示例）を示す。
【図４】（ａ）構造図の例と（ｂ）当該構造図から切り出された各領域から合成された配筋図の例を示す。
【図５Ａ】既に範囲設定した配筋図を呼び出して、配筋図を修正するためのフローチャートの一例を示す。
【図５Ｂ】既に範囲設定した配筋図を呼び出して、配筋図を修正するためのフローチャートの別の例を示す。
【図６Ａ】配筋図を呼び出す手順の一例を示す。
【図６Ｂ】配筋図を呼び出す手順の一例を示す。
【図６Ｃ】配筋図を修正する手順の一例を示す。
【図６Ｄ】配筋図を修正する手順の一例を示す。
【図７】配筋図作成の別の一例を示す。
【図８】配筋図作成の更に別の一例を示す。
【図９】データ構造の一例を示す。
【発明を実施するための形態】
【００１２】
以下、本発明の一実施例による、配筋図を生成するユーザインターフェイスについて説明する。
【００１３】
図１は、本発明の一実施例による情報処理装置１０００の機能ブロック図を示す。
【００１４】
情報処理装置１０００は、画面表示部１１１０、入力部１１２０、見出部分領域設定部１１３０、符号部分領域設定部１１４０、切出部分領域設定部１１５０、合成配筋図設定部１１６０、構造図記憶手段１２１０、物件識別子記憶手段１２２０、合成配筋図記憶手段１２３０、制御部１３１０を備える。
【００１５】
画面表示部１１１０は、構造図や入力画面など、配筋図を生成するために必要な情報を表示するように構成されている。
【００１６】
入力部１１２０は、見出部分や符号部分の範囲を入力したり、その他必要な情報を入力したりするように構成されている。例えば、テキスト入力や、マウスなどのＧＵＩ（Ｇｒａｐｈｉｃ  Ｕｓｅｒ  Ｉｎｔｅｒｆａｃｅ）操作等が可能な画面を備えてもよい。また、画面表示部１１１０が、入力部１１２０の機能を有するように構成されてもよい。
【００１７】
見出部分領域設定部１１３０は、入力部１１２０経由でのユーザの操作その他の機能により、見出部分の領域（図４（ａ）の１を参照）を設定するように構成されている。
【００１８】
符号部分領域設定部１１４０は、入力部１１２０経由でのユーザの操作その他の機能により、符号部分の領域（図４（ａ）の２を参照）を設定するように構成されている。
【００１９】
切出部分領域設定部１１５０は、見出部分の領域と符号部分の領域（図４（ａ）の３を参照）の（例えば、各領域の角の４点の）座標情報から、切出部分の領域を設定するように構成されている。なお、本実施例における座標情報は、特別な説明がない限り、（表示画面を基準とした座標ではなく）構造図を基準とした座標である。例えば、表示画面上で、構造図を拡大縮小したとしても、構造図上の見出部分、符号部分、切出部分の座標情報は変化しない。
【００２０】
合成配筋図設定部１１６０は、見出部分の領域と符号部分の領域とから切出部分の領域が生成された後に、これらの領域から合成された配筋図（図４（ｂ）を参照）を設定（画像を生成）するように構成されている。なお、本実施例の説明の便宜上、「合成された配筋図」は、合成配筋図や配筋リスト等とも称する場合があるが同義である。
【００２１】
構造図記憶手段１２１０は、構造図（図４（ａ）全体を参照）などの図面を記憶するように構成されている。構造図は、例えば、フロア（階数）毎に準備されていてもよい。
【００２２】
物件識別子記憶手段１２２０は、柱、梁などの物件を識別するための識別子を記憶するように構成されている。ここで、識別子とは、配筋検査をおこなう柱、梁などの設置場所の識別符号である。また、識別子は、それぞれ一意となる任意の符号を付与してよいが、通常は、配筋検査を行いやすいように、建物のフロア（階数）や柱や梁の設置場所などの情報を基に符号を付与する。
【００２３】
合成配筋図記憶手段１２３０は、合成された配筋図を、物件識別子記憶手段１２２０からの識別子と紐付けて記憶するように構成されている。
【００２４】
なお、本実施例で説明した構造図記憶手段１２１０、物件識別子記憶手段１２２０、合成配筋図記憶手段１２３０は、メモリのような主記憶装置、ハードディスクドライブのような補助記憶装置、データベースなどの任意の記憶装置等を用いて、物理的に構成されてもよく、仮想的に構成されていてもよく、また、これらの組み合わせで構成されてもよい。
【００２５】
制御部１３１０は、上述した各部を制御するように構成されてあり、例えば、ＣＰＵ（Ｃｅｎｔｒａｌ  Ｐｒｏｃｅｓｓｉｎｇ  Ｕｎｉｔ）などのプロセッサでもよい。また、制御部は、情報処理装置１０００内で独立して構成されていてもよく、各部の中にそれぞれ設けられるように構成されてもよい。
【００２６】
図２Ａは、構造図から所定の各領域を切り出して、当該切り出された各領域から合成された配筋図を生成するためのフローチャートの一例を示す。
【００２７】
Ｓ１０１０では、ユーザの操作その他の機能により、構造図から見出部分（例えば、第１の領域と称してもよい）を決定する（図４（ａ）の１を参照）。
【００２８】
Ｓ１０２０では、ユーザの操作その他の機能により、構造図から符号部分（例えば、第２の領域と称してもよい）を決定する（図４（ａ）の２を参照）。
【００２９】
Ｓ１０３０では、見出部分および符号部分の領域に対応した切出部分（例えば、第３の領域と称してもよい）を決定する（図４（ａ）の３を参照）。ここで、切出部分は、見出部分および符号部分の座標情報から決定する。なお、第１の領域、第２の領域、第３の領域は互いに入れ替えてもよい。
【００３０】
Ｓ１０４０では、見出部分、符号部分、切出部分から合成された配筋図を生成して表示する（図４（ｂ）を参照）。さらに、配筋図に関する情報（個々の柱、梁などを識別するための情報など）を付加するように構成されてもよい。
【００３１】
本実施例においては、説明の便宜のために、Ｓ１０１０からＳ１０４０が順番に処理されるように説明したが、Ｓ１０１０からＳ１０４０の処理の順番が異なっていてもよいし、Ｓ１０１０からＳ１０４０が並列処理するように構成されていてもよい。
【００３２】
図２Ｂは、構造図から所定の各領域を切り出して、当該切り出された各領域から合成された配筋図を生成するためのフローチャートの別の例を示す。
【００３３】
以下、図２Ｂのフローチャートについて、図３Ａ−３Ｄまでの画面表示例および図４の合成された配筋図を参照しながら説明する。
【００３４】
Ｓ２０１０では、配筋図を作成したいフロア（階）を選択する（図３Ａ左を参照）。フロア（階）が選択されると、当該フロアに対応した構造図（本実施例では、柱のリスト）がデータベースから取得される（図３Ａ右を参照）。
【００３５】
Ｓ２０２０では、取得された構造図を表示する。ユーザは、マウスなどの任意のデバイスを使用して、構造図の中で見出部分１点目を指定する（図３Ａを参照）。図３Ａにおいては、所望の四角形に対して、左上の点を指定する。見出部分の１点目の座標（Ｘ１，Ｙ１）を任意のメモリに記憶する。
【００３６】
Ｓ２０３０では、Ｓ２０２０と同様に、構造図の中で見出部分２点目を指定する（図３Ｂを参照）。見出部分の２点目は、見出部分の１点目（左上の点）に対して対角線方向の点（右下の点）を指定する。見出部分の２点目の座標（Ｘ２，Ｙ２）を任意のメモリに記憶する。
【００３７】
Ｓ２０４０では、見出部分１点目と見出部分２点目とを対角線とした四角形の形状となる見出部分の範囲（領域）を決定する（図３Ｂを参照）。すなわち、見出部分の１点目の座標（Ｘ１，Ｙ１）および見出部分の２点目の座標（Ｘ２，Ｙ２）の座標情報を使用して、四角形の領域を決定する。すなわち、上述した座標に加えて、（Ｘ１，Ｙ２）および（Ｘ２，Ｙ１）の座標を使用することにより、４角形の領域（第１の領域）を決定する。ここで、図３Ｂ左の図に示すように、選択された領域を表示してもよい。
【００３８】
Ｓ２０５０では、同じ構造図上で、符号部分の１点目を指定する若しくは自動的に候補を表示する（図３Ｃを参照）。図３Ｃにおいては、所望の四角形に対して、左上の点を指定する。自動的に候補を表示する場合には、見出部分の座標情報のＸ２（＝ｘ１）を用い、ｙ１は予め決めておいた値を用いればよい。そして、符号部分の１点目の座標（ｘ１，ｙ１）を任意のメモリに記憶する。
【００３９】
Ｓ２０６０では、表示された符号部分の１点目を起点として、ユーザは、マウスなどの任意のデバイスを使用して、構造図上の符号部分の２点目を指定する（図３Ｄを参照）。符号部分の２点目は、符号部分の１点目（左上の点）に対して対角線方向の点（右下の点）を指定する。符号部分の２点目の座標（ｘ２，ｙ２）を任意のメモリに記憶する。
【００４０】
Ｓ２０７０では、符号部分の１点目と２点目とを対角線とした四角形の形状となる見出部分の範囲を決定する（図３Ｄを参照）。すなわち、符号部分の１点目の座標（ｘ１，ｙ１）および符号部分の２点目の座標（ｘ２，ｙ２）の座標情報を使用して、四角形の領域を決定する。すなわち、上述した座標に加えて、（ｘ１，ｙ２）および（ｘ２，ｙ１）の座標を使用することにより、４角形の領域（第２の領域）を決定する。なお、第１の領域と第２の領域を決定する順番は逆でもよい。
【００４１】
Ｓ２０８０では、決定された見出部分、決定された符号部分を表示する。そして、決定された見出部分と符号部分との座標情報を基に、切出部分の領域を決定して表示する（図３Ｄ左の自動生成した領域を参照）。すなわち、見出部分のＹ１，Ｙ２の座標情報および符号部分のｘ１，ｘ２の座標情報を基に、配筋図の領域がなす四角形の点の座標（ｘ１，Ｙ１）（ｘ１，Ｙ２）（ｘ２，Ｙ１）（ｘ２，Ｙ２）を決定する。
【００４２】
Ｓ２０９０では、見出部分、符号部分、切出図を基に合成された配筋図を作成する（図４（ｂ）を参照）。
【００４３】
Ｓ２１００では、ユーザがまたは自動的に、見出部分、符号部分、切出部分の表示は正しいか否かを確認する。正しい場合は、Ｓ２１００へすすむ。正しくない場合は、Ｓ２０２０へ戻って、見出部分、符号部分を再度決定する処理する。別の実施例においては、Ｓ２０２０以外の任意の処理（例えば、符号部分のみを再度設定できるように、Ｓ２０５０の符号部分の表示の処理）へ戻ってもよい。
【００４４】
Ｓ２１１０では、合成された図面を、柱や梁などの物件識別子と関連づけて記憶する。更に、合成された配筋図には、切出部分の座標情報を関連づけて記憶する。記憶されるデータ構造の一例を図９に示す。図９では、識別子である物件情報をキーとして、合成された配筋図（本実施例では、配筋図が記憶されているアドレス）が関連づけられており、更に、合成された配筋図が、切出領域の座標情報と関連づけられている。任意の配筋図と座標情報とが関連づけられることにより、例えば、配筋図の修正や再利用を容易にすることが可能になる。
【００４５】
図９の別の実施例として、切出部分の座標情報に代えて、符号部分の座標情報と見出部分の座標情報を記憶するように構成されてもよい。符号部分の座標情報と見出部分の座標情報がわかれば、切出部分の座標情報もわかるからである。
【００４６】
一方で、図９において、切出部分の座標情報だけがわかっても、符号部分の座標情報と見出部分の座標情報の全てはわからないが、構造図を基準とした座標系において、見出部分のｘ軸の基準値は０（または任意の値）であり、符号部分のｙ軸の基準値が０（または任意の値）であるという前提が成立している場合は、切出部分の座標だけ記憶してもよい。ｘ軸、ｙ軸の基準値を利用すれば、符号部分の座標情報と見出部分の座標情報も決定できるからである。
【００４７】
図５Ａ（ａ）（ｂ）は、配筋図を修正するためのフローチャートの一例を示す。ここでは、既に修正対象の配筋図のデータが情報処理装置に読み込まれていることを前提とする。
【００４８】
図５（ａ）について説明する。Ｓ４０１０では、見出部分と符号部分との一方または両方の移動を検知する。ここで、移動の検知とは、見出部分や符号部分の領域がなす形状を維持したまま、構造図上の座標が移動することを意味する。
【００４９】
Ｓ４０２０では、移動した見出部分と符号部分との移動と同時に、切出部分を移動させる。
【００５０】
Ｓ４０３０では、見出部分、符号部分、切出部分の移動と同時に、合成された配筋図を再生成して、表示する。
【００５１】
Ｓ４０１０からＳ４０３０で示した手順を実行することにより、ユーザは直感的にかつ正確に配筋図を修正することができる。また、Ｓ４０２０、Ｓ４０３０で示したように、同時移動を実現することにより、ユーザが間違いのない配筋図を作成することができる。
【００５２】
図５（ｂ）は、図５（ａ）の別の例である。Ｓ４０１１では、切出部分の移動を検知する。Ｓ４０２１では、移動した切出部分との移動と同時に、見出部分と符号部分との一方または両方の移動を移動させる。Ｓ４０３０は、図５（ａ）と同じ処理である。
【００５３】
図５Ｂは、既に範囲設定して登録された配筋図を呼び出して、配筋図を修正するためのフローチャートの別の例を示す。なお、配筋図を呼び出す必要がない場合（例えば、配筋図を設定後すぐに修正する場合）は、Ｓ５０１０、Ｓ５０２０を省略してもよい。
【００５４】
Ｓ５０１０では、呼び出したい配筋図に対応する識別子を選択して、登録された配筋図や見出部分、符号部分、切出部分の領域の座標情報（図９のデータ構造を参照）を取得または計算する（図６Ａを参照）。また、当該識別子に対応する構造図も取得する。
【００５５】
Ｓ５０２０では、図９のデータ構造の領域の座標に関する情報を用いて、登録された配筋図に関する見出部分、符号部分、切出部分を構造図上に表示する（図６Ｂを参照）。このときに、間違い防止のために別の色で表示されてもよい。
【００５６】
Ｓ５０３０では、ユーザが登録したい見出部分または符号部分または切出部分を修正する。ここで、修正とは、少なくとも１つの領域の形状（四角形）の４角の座標情報が少なくとも１つ変更されることであり、視覚的には、見出部分や符号部分がなす領域の形状（四角形）は維持したまま大きさを変更することや、当該大きさを維持したまま、構造図上の座標情報を変更することを含む。当該修正が行われたことが検知されるとＳ５０４０にすすむ。
【００５７】
Ｓ５０４０では、例えば、見出部分が修正されると、当該修正に連動して、切出部分が修正される。また、例えば、見出部分の大きさは維持したまま移動した場合には、見出部分の４角の各点の座標情報が修正されるので、当該修正された座標情報に連動して、切出部分の座標情報が修正される（図６Ｃを参照）。
【００５８】
Ｓ５０５０では、Ｓ５０４０で修正された見出部分、符号部分、切出部分が表示される（図６Ｄを参照）。
【００５９】
Ｓ５０６０では、Ｓ５０５０で決定された見出部分、符号部分、切出部分を基に新たに合成された配筋図を生成する。そして、当該新たに合成された配筋図が正しければ登録（記憶）する。もし、配筋図が正しくない場合は、例えば、Ｓ５０２０に戻って再度修正をしてもよい。
【００６０】
図７は、配筋図作成の別の一例を示す。構造図上の各枠（四角形）の四隅を自動的に認識できるように構成しておき、見出部分や符号部分の領域の選択が容易にできるようにしてもよい。
【００６１】
別の実施例においては、見出部分や符号部分の領域の選択が容易にできるようにしてもよい。例えば、直前若しくは以前の配筋図切り出し操作において、構造図上の座標情報を記憶しておくことにより、見出領域の幅（Ｘ１とＸ２の差）、見出領域の高さ（Ｙ１とＹ２の高さ）、符号領域の幅（ｘ１とｘ２の差）、符号領域の高さ（ｙ１とｙ２の高さ）に関する情報が得られる。そして、例えば、直前の見出領域に隣接する領域に関する配筋図を生成する際には、見出領域の１点目に（Ｘ２，Ｙ１）を指定し、見出領域の２点目に（Ｘ３，Ｙ２）を指定することになるが、ここで、Ｘ３は、見出領域の１点目に、見出領域の幅を加えた座標をユーザに提案することができ、すなわち、Ｘ３＝Ｘ２＋（Ｘ２−Ｘ１）により計算した値を用いればよい。また、必要に応じて、ユーザは、本実施例の情報処理装置によって提案された座標に基づく領域を、マウス等の任意のデバイスを使用して、修正してもよい。同様に、符号領域に隣接する領域に関する配筋図を生成してもよい。
【００６２】
図８は、配筋図作成の更に別の一例を示す。複数の領域を配筋図に含めたい場合（例えば、特記したい事項に関する画像を含めたい場合）には、追加で含めたい画像の領域を指定できるように構成されてもよい。
【００６３】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。例えば、装置やシステム等のハードウェアで構成されてもよく、プログラム等のソフトウェアで構成されてもよく、これらの組み合わせで構成されてもよい。
【符号の説明】
【００６４】
１０００  情報処理装置
１１１０  画面表示部
１１２０  入力部
１１３０  見出部分領域設定部
１１４０  符号部分領域設定部
１１５０  切出部分領域設定部
１１６０  合成配筋図設定部
１３１０  制御部
１２１０  構造図記憶手段
１２２０  物件識別子記憶手段
１２３０  合成配筋図記憶手段
【図１】
2019128869.tif 000003
【図２Ａ】
2019128869.tif 000004
【図２Ｂ】
2019128869.tif 000005
【図３Ａ】
2019128869.tif 000006
【図３Ｂ】
2019128869.tif 000007
【図３Ｃ】
2019128869.tif 000008
【図３Ｄ】
2019128869.tif 000009
【図４】
2019128869.tif 000010
【図５Ａ】
2019128869.tif 000011
【図５Ｂ】
2019128869.tif 000012
【図６Ａ】
2019128869.tif 000013
【図６Ｂ】
2019128869.tif 000014
【図６Ｃ】
2019128869.tif 000015
【図６Ｄ】
2019128869.tif 000016
【図７】
2019128869.tif 000017
【図８】
2019128869.tif 000018
【図９】
2019128869.tif 000019
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
図面から画像を生成する情報処理装置において、
識別子を選択する手段と、
前記図面上で第１の領域を決定する手段と、
前記図面上で第２の領域を決定する手段と、
前記第１の領域の縦座標と前記第２の領域の横座標とがなす領域または前記第１の領域の横座標と前記第２の領域の縦座標とがなす領域を第３の領域として前記図面上に決定する手段と、
前記第１の領域と前記第２の領域と前記第３の領域とを合成した画像を生成する手段と、
前記識別子に前記生成された画像を関連付けると共に、前記生成された画像に、前記第１の領域、前記第２の領域及び前記第３の領域の少なくとも１つの座標情報を関連付けて記憶する手段と、
を備え、
更に、
前記識別子に関連する前記画像および前記座標情報を取得する手段と、
前記図面上における前記第１の領域、前記第２の領域及び前記第３の領域の少なくともひとつの移動を検知する手段と、
前記検知に基づいて、前記図面上における前記第１の領域、前記第２の領域及び前記第３の領域を移動する手段と、
前記第１の領域と前記第２の領域と前記第３の領域とを合成した画像を再生成する手段と、
新たな識別子を選択する手段と、
前記新たな識別子に前記再生成された画像を関連付けると共に、前記再生成された画像に、前記第１の領域、前記第２の領域及び前記第３の領域の少なくとも１つの移動後の座標情報を関連付けて記憶する手段と、
を備えることを特徴とする情報処理装置。
【請求項２】
コンピュータに、図面から画像を生成させるプログラムにおいて、前記コンピュータを、
識別子を選択する手段と、
前記図面上で第１の領域を決定する手段と、
前記図面上で第２の領域を決定する手段と、
前記第１の領域の縦座標と前記第２の領域の横座標とがなす領域または前記第１の領域の横座標と前記第２の領域の縦座標とがなす領域を第３の領域として前記図面上に決定する手段と、
前記第１の領域と前記第２の領域と前記第３の領域とを合成した画像を生成する手段と、
前記識別子に前記生成された画像を関連付けると共に、前記生成された画像に、前記第１の領域、前記第２の領域及び前記第３の領域の少なくとも１つの座標情報を関連付けて記憶する手段と、
を備え、
更に、
前記識別子に関連する前記画像および前記座標情報を取得する手段と、
前記図面上における前記第１の領域、前記第２の領域及び前記第３の領域の少なくともひとつの移動を検知する手段と、
前記検知に基づいて、前記図面上における前記第１の領域、前記第２の領域及び前記第３の領域を移動する手段と、
前記第１の領域と前記第２の領域と前記第３の領域とを合成した画像を再生成する手段と、
新たな識別子を選択する手段と、
前記新たな識別子に前記再生成された画像を関連付けると共に、前記再生成された画像に、前記第１の領域、前記第２の領域及び前記第３の領域の少なくとも１つの移動後の座標情報を関連付けて記憶する手段と、
して機能させるためのプログラム。